(57)【要約】    【課題】  蓋を開封する開封手段が、開封意志のない場合において、蓋の引き裂きを誘発することがない包装用容器の提供。    【解決手段】  食品などを収納する容器本体２の開口部を塞いでいる蓋３を引き裂くことで、蓋３を開封する包装用容器１において、蓋３の周縁部３ａに部分的に突設した開封用引き裂き部４には、蓋３の周縁部３ａから連続して一体に形成した外周部４ａと、この外周部４ａ以外の部分に形成した打ち抜き部４ｂとを設ける。そして、外周部４ａにより、搬送中などの開封意志がない場合に、打ち抜き部４ｂが蓋３の引き裂きを誘発してしまうことを阻止する。しかも、蓋３の周縁部３ａに部分的に突設した開封用引き裂き部４の打ち抜き部４ｂにより、蓋３の密閉性を損ねることなく、引き裂いての蓋３の開封を容易に行えるようにする。【選択図】      図１
2005153940.tif 000002
【特許請求の範囲】
【請求項１】
容器本体の開口部を塞いで封をする蓋を引き裂くことで開封するように構成した包装用容器であり、前記蓋の周縁部に開封用引き裂き部を突設していると共に、この開封用引き裂き部には、前記蓋の周縁部から連続して一体に形成している外周部と、この外周部の前記容器本体側の部分に形成して前記蓋の引き裂きを導く打ち抜き部とを備えていることを特徴とする包装用容器。
【請求項２】
前記打ち抜き部は、前記容器本体から離れた外側部分で前記外周部に沿って延びる第一打ち抜き線と、この第一打ち抜き線の両端に連通した状態で容器本体の中央部の方向へ延びて前記蓋の引き裂きを導く両第二打ち抜き線とで囲まれて形成していることを特徴とする請求項１記載の包装用容器。
【請求項３】
前記打ち抜き部は、前記容器本体から離れた外側部分で前記外周部の引き裂きを導く第一打ち抜き線と、この第一打ち抜き線に連通した状態で容器本体の中央部の方向へ延びて前記蓋の引き裂きを導く第二打ち抜き線とで形成していることを特徴とする請求項１記載の包装用容器。
【発明の詳細な説明】
【技術分野】
【０００１】
この発明は、使い捨て容器として各種食品などの包装に使用されており、一度開封したら開封前の元の状態に戻すことができないように構成した、所謂、不正開封を防止できるように構成した包装用容器に関するものである。
【背景技術】
【０００２】
不正開封を防止できる包装用容器としては、蓋を引き裂かなければ開封を行えないようにすると共に、引き裂いたことで開封前の状態に戻すことができないようにして、容器本体を蓋で封をした容器がある。そして、この包装用容器には、蓋を引き裂くための開封手段が設けられている。
この開封手段としては、例えば、次の（１）や（２）に述べるものが一般に知られている。
（１）蓋の周縁部に部分的に開封つまみを突設すると共に、この開封つまみを摘み上げて蓋を引き裂くことにより、蓋の開封を行うもの（例えば、特開平８−２４４８１０号公報参照）。
（２）蓋に設けた開封用テープの引き剥がしに伴って蓋が引き裂かれるように構成すると共に、開封用テープに沿って蓋を引き裂くことにより、蓋の開封を行うもの（例えば、特開平９−１６９３５１号公報や特開平１０−２１８２３８号公報参照）。
これらの従来の包装用容器における開封手段には、蓋の引き裂きを導くために、切り込みや引き剥がし用案内片などが設けられている。
この切り込みは、例えば、前記開封つまみの付け根の部分（特開平８−２４４８１０号公報の図１の符号８参照）や、前記開封用テープを最初に剥がす部分（特開平９−１６９３５１号公報の図１の符号４参照）に形成している。
また、引き剥がし用案内片は、例えば、前記開封用テープの引き剥がしを容易として蓋の引き裂きも容易とすべく、前記開封用テープを最初に剥がす部分（特開平１０−２１８２３８号公報の図２の符号６ａ参照）に形成している。
ところが、切り込みは、各公報に示されているように、切り込み口が外部と連通して形成されているので、開封する意志がなくても、その切り込み口から蓋の引き裂きを誘発してしまう恐れがある。また、引き剥がし用案内片も、公報に示されているように、蓋の表面から浮き上がるようにして設けられているので、その部分から蓋の引き裂きを誘発してしまう恐れがある。
このように、従来の包装用容器の開封手段における蓋の引き裂きを導く部分（切り込みや引き剥がし用案内片など）は、蓋を引き裂きやすくするものなので、開封意志が無い場合（包装用容器の搬送中など）に蓋の引き裂きを誘発してしまう恐れがある。
【特許文献１】特開平８−２４４８１０号公報
【特許文献２】特開平９−１６９３５１号公報
【特許文献３】特開平１０−２１８２３８号公報
【発明の開示】
【発明が解決しようとする課題】
【０００３】
解決しようとする課題は、不正開封を防止できるように容器本体を蓋で封をした包装用容器において、その蓋を開封する開封手段（蓋の引き裂きを導く部分）が、開封意志が無い場合でも蓋の引き裂きを誘発して開封状態にしてしまうことである。
この発明は前述した事情に鑑みて創案されたもので、その目的は蓋を開封する開封手段（蓋の引き裂きを導く部分）が、開封意志の無い場合に蓋の引き裂きを誘発することがない包装用容器を提供することにある。
【課題を解決するための手段】
【０００４】
この発明（請求項１記載の発明）の包装用容器では、容器本体の封をしている蓋の開封を、蓋の引き裂きが容易で蓋の密閉性を損ねることのない開封用引き裂き部を用いて行うこととする。即ち、蓋の周縁部に部分的に突設した開封用引き裂き部を用いて蓋を引き裂くことで、蓋の開封を行うこととする。
そして、この開封用引き裂き部には、開封意志が無い場合に蓋の引き裂きの誘発を阻止するため、蓋の周縁部から連続して一体に形成した外周部と、この外周部の容器本体側の部分に、蓋の引き裂きを導くために形成した打ち抜き部とを設ける。
なお、開封用引き裂き部の打ち抜き部は、引き裂きを導くための打ち抜き線によって形成することが考えられる。
例えば、「打ち抜き部は、第一打ち抜き線と、蓋の引き裂きを導く第二打ち抜き線とで囲むことによって形成する（請求項２の発明）。」というものが、または「打ち抜き部は、開封用引き裂き部の外周部の引き裂きを導く第一打ち抜き線と、この第一打ち抜き線に連通した状態で蓋の引き裂きを導く第二打ち抜き線とで形成する（請求項３の発明）。」というものが考えられる。
【発明の効果】
【０００５】
この発明の包装用容器によれば、蓋の周縁部から連続して一体に形成した開封用引き裂き部の外周部により、蓋を引き裂くための開封用引き裂き部の打ち抜き部（引き裂きを導くための打ち抜き線）に、搬送中などの開封意志が無い場合において、蓋を引き裂く応力が作用してしまうことを阻止できる。
即ち、蓋の引き裂きが容易で蓋の密閉性を損ねることのない「蓋の周縁部に部分的に突設した開封用引き裂き部」を採用しても、開封用引き裂き部の外周部により、開封意志が無い場合において、開封用引き裂き部の打ち抜き部（引き裂きを導くための打ち抜き線）が蓋の引き裂きを誘発してしまうことを阻止できる。
また、この発明の包装用容器によれば、開封用引き裂き部に蓋の引き裂きの誘発を阻止できる外周部を設けても、開封用引き裂き部の打ち抜き部を形成している第一打ち抜き線および第二打ち抜き線によって、蓋の引き裂き、即ち、蓋の開封を容易に行うことができる。
【発明を実施するための最良の形態】
【０００６】
【実施例１】
【０００７】
図１はこの発明の包装用容器を示す概略斜視図で、図２はこの発明の包装用容器における開封用引き裂き部を用いた蓋の開封工程を示す図１のＡ−Ａ線概略断面図で、図３はこの発明の包装用容器における開封用引き裂き部を用いた蓋の開封工程を示す概略斜視図で、図４はこの発明の包装用容器の別形態を示す概略斜視図で、図５は図４のＢ−Ｂ線概略断面図である。
そして、各図において、符号１は包装用容器で、２は包装用容器１の容器本体で、３は容器本体２を密閉する蓋で、４は蓋３を開封する時に用いる開封用引き裂き部で、４ｂは開封時に蓋３の引き裂きを導くために用いる打ち抜き部である。
この発明（請求項１の発明）の包装用容器１は、図１に示すように、食品や洗剤などを収納する容器本体２と、この容器本体２の開口部を塞いで封をする蓋３と、この蓋３の周縁部３ａに突設した開封用引き裂き部４とを備えており、蓋３を引き裂くことで蓋３の開封を行うように構成している。
また、この包装用容器１の開封用引き裂き部４は、蓋３の周縁部３ａから連続して一体に形成されている外周部４ａと、この外周部４ａの容器本体２側の部分に形成されて蓋３の引き裂きを導く打ち抜き部４ｂとを備えている。
この実施形態での打ち抜き部４ｂは、容器本体２から離れた外側部分で外周部４ａに沿って延びる第一打ち抜き線４ｃと、この第一打ち抜き線４ｃの両端に連通した状態で容器本体２の中央部の方向へ延びて蓋３の引き裂きを導く両第二打ち抜き線４ｄとで囲まれて形成されている（請求項２の発明）。
この実施形態での第一打ち抜き線４ｃは、外周部４ａに沿う円弧状に形成されている。また、この実施形態での両第二打ち抜き線４ｄは、容器本体２の中央部の方向へ延びる直線状に形成されている。そして、この第一打ち抜き線４ｃと両第二打ち抜き線４ｄとは、略Ｕ字状に連通して形成されている。
この実施形態での容器本体２および蓋３は、四角形の遇角部をカットした状態である八角形状に形成されている。そして、開封用引き裂き部４は、蓋３の一箇所の遇角部において、その遇角部を形成するようにして設けられている。
この実施形態での開封用引き裂き部４は、前記四角形の遇角部をカットした部分である蓋３の周縁部３ａと、蓋３の周縁部３ａにおける外周面から延びる両外周端４ｅとで囲まれた略三角形状に形成されている。
このような構成からなるこの発明の包装用容器１における蓋３の開封は、次に述べるようにして行われる。
先ず、開封用引き裂き部４の打ち抜き部４ｂにおいて、円弧状の第一打ち抜き線４ｃを利用して、図２に示すように、打ち抜き部４ｂを打ち抜くと共に、その打ち抜き部４ｂを摘み上げる。
次に、打ち抜き部４ｂを摘んだままの状態で容器本体２の中央部の方向へ移動させることにより、図３に示すように、打ち抜き部４ｂの直線状の両第二打ち抜き線４ｄを利用して、蓋３を容器本体２の中央部の方向へ引き裂く。
そして、この蓋３を容器本体２の中央部方向へ引き裂くことにより、蓋３の開封が行われることになる。
このようなこの発明の包装用容器１によれば、蓋３の周縁部３ａから連続して一体に形成した外周部４ａにより、蓋３の引き裂きを導くための打ち抜き部４ｂ（第一打ち抜き線４ｃおよび第二打ち抜き線４ｄ）が、搬送中など包装用容器１の開封意志が無い場合において、蓋３の引き裂きを誘発してしまうことを阻止できる。
即ち、蓋３の引き裂きが容易で蓋３の密閉性を損ねることのない「蓋３の周縁部に部分的に突設した開封用引き裂き部４」を採用しても、開封用引き裂き部４の外周部４ａにより、開封意志が無い場合において、開封用引き裂き部４の打ち抜き部４ｂ（第一打ち抜き線４ｃおよび第二打ち抜き線４ｄ）が蓋３の引き裂きを誘発してしまうことを阻止できる。
また、この発明の包装用容器１（前述した実施形態）によれば、打ち抜き部４ｂを形成している第一打ち抜き線４ｃと両第二打ち抜き線４ｄとによって、引き裂いての蓋３の開封を容易に行うことができる。
即ち、開封用引き裂き部４に、開封意志が無い場合の蓋３の引き裂きを阻止する外周部４ａが存在しても、打ち抜き部４ｂ（第一打ち抜き線４ｃおよび第二打ち抜き線４ｄ）によって、引き裂いての蓋３の開封を容易かつ確実に行うことができる。
なお、図４および図５は容器本体２への蓋３の嵌合状態が異なる形態を示しており、この図４および図５は内嵌合の形態で、前述した図１は外嵌合の形態である。
【実施例２】
【０００８】
図６はこの発明の包装用容器を示す概略斜視図で、図７はこの発明の包装用容器における開封用引き裂き部を示す概略図で、図８はこの発明の包装用容器における開封用引き裂き部を用いた蓋の開封工程を示す図６のＣ−Ｃ線概略断面図で、図９および図１０はこの発明の包装用容器における開封用引き裂き部を用いた蓋の開封工程を示す概略斜視図で、図１１はこの発明の包装用容器の別形態を示す概略斜視図である。
この「実施例２」での包装用容器１において、開封用引き裂き部４の打ち抜き部４ｂ以外の構成（容器本体２、蓋３、開封用引き裂き部４）は、前述した「実施例１」での包装用容器１と同じである。
従って、包装用容器１は、図６に示すように、容器本体２と、この容器本体２の開口部を塞いで密閉する蓋３と、この蓋３の周縁部３ａに突設した開封用引き裂き部４とを備えている。また、この包装用容器１の開封用引き裂き部４は、蓋３の周縁部３ａから連続して一体に形成されている外周部４ａと、この外周部４ａ以外の部分に形成されて蓋３の引き裂きを導く打ち抜き部４ｂとを備えている。
そして、この「実施例２」での包装用容器１は、開封用引き裂き部４の打ち抜き部４ｂが異なる構成（請求項３の発明の構成）となっている。即ち、打ち抜き部４ｂは、容器本体２から離れた外側部分で外周部４ａの引き裂きを導く第一打ち抜き線４ｃと、この第一打ち抜き線４ｃに連通した状態で容器本体２の中央部の方向へ延びて蓋３の引き裂きを導く第二打ち抜き線４ｄとで形成している。
この実施形態での第一打ち抜き線４ｃは、図７に示すように、容器本体２から離れた外側部分で容器本体に沿う方向へ延びて円弧状に形成されている。また、第二打ち抜き線４ｄは、図７に示すように、第一打ち抜き線４ｃの中央部分から容器本体２の中央部の方向へ延びて形成されている。そして、第一打ち抜き線４ｃと第二打ち抜き線４ｄとは略Ｔ字状に形成されている。
この実施形態での開封用引き裂き部４は、前記四角形の遇角部をカットした部分である蓋３の周縁部３ａと、蓋３の周縁部３ａにおける外周面から同一面で延びる両外周面４ｆとで囲まれた略三角形状に形成されている。
この開封用引き裂き部４の外周面４ｆは、図８に示すように、開封用引き裂き部４の外周端を下方に折曲した部分の外面である。この折曲部分は、図８に示すように、指を引っ掛けることで、外周部４ａや蓋３の引き裂きを容易に行うことができる。しかも、この折曲部分は、開封用引き裂き部４の外周部４ａを補強して、外周部４ａによる引き裂き誘発阻止をより確実なものにできる。
なお、この実施形態での開封用引き裂き部４の第一打ち抜き線４ｃは、容器本体２から離れた外側の部分において、容器本体２（四角形の遇角部をカットした部分）に沿う方向で、両外周面４ｆに架け渡すようにして形成されている。
また、この実施形態での開封用引き裂き部４の外周部４ａは、容器本体２から離れた最も外側の部分において、両外周面４ｆに沿うようにして形成されている。
このような構成からなるこの発明の包装用容器１における蓋３の開封は、次に述べるようにして行われる。
先ず、開封用引き裂き部４の打ち抜き部４ｂにおいて（図７参照）、第一打ち抜き線４ｃの一方側を利用し、一方の外周面４ｆ側における開封用引き裂き部４の外周部４ａを引き裂くと共に、第一打ち抜き線４ｃの他方側を利用し、他方の外周面４ｆ側における開封用引き裂き部４の外周部４ａを引き裂く。
即ち、円弧状の第一打ち抜き線４ｃを利用して、開封用引き裂き部４の外側部分を引きちぎることになる。
これらのことから、図９に示すように、開封用引き裂き部４における第一打ち抜き線４ｃから外側の部分が引きちぎられることになると共に、開封用引き裂き部４は、第一打ち抜き線４ｃの中央部から容器本体２の中央部の方向へ延びて形成されている第二打ち抜き線４ｄにより、図面に向かって左右に二分割されることになる。
次に、図１０に示すように、左右に二分割された各開封用引き裂き部４を上下に移動させることにより、第二打ち抜き線４ｄを利用して、蓋３を容器本体２の中央部の方向へ引き裂く。
そして、この蓋３を容器本体２の中央部方向へ引き裂くことにより、蓋３の開封が行われることになる。
このようなこの発明（実施例２の実施形態）の包装用容器１によれば、打ち抜き部４ｂの第一打ち抜き線４ｃおよび第二打ち抜き線４ｄによって、引き裂いての蓋３の開封を容易に行うことができる。
即ち、この発明（実施例２の実施形態）での第一打ち抜き線４ｃおよび第二打ち抜き線４ｄは、連通した略Ｔ字状に形成しているので、第一打ち抜き線４ｃを用いて開封用引き裂き部４の外周部４ａを引き裂いた後、引き続いて、第二打ち抜き線４ｄを用いて蓋３の引き裂きを行える。
従って、開封用引き裂き部４に、開封意志が無い場合の蓋３の引き裂きを阻止する外周部４ａが存在しても、引き裂いての蓋３の開封を容易かつ確実に行うことができる。
一方、この実施例２の実施形態では、外周部４ａを引き裂く第一打ち抜き線４ｃと蓋３を引き裂く第二打ち抜き線４ｄとが略Ｔ字状に形成されていることから、外周部４ａを引き裂いた後、蓋３を引き裂くまでに、ワンクッションおくことができる。
そのため、開封意志が無い場合において、蓋３の引き裂きを誘発してしまうことの阻止を、より確実に行うことができる。
なお、図１１は容器本体２への蓋３の嵌合状態が異なる形態を示しており、この図１１は内嵌合の形態で、前述した図６は外嵌合の形態である。
図１２〜図１４は、前述した「実施例２」での包装用容器１の別形態を示すものである。ここでの包装用容器１は、開封用引き裂き部４の打ち抜き部４ｂ（請求項３の発明の構成）が別形態となっている。
即ち、打ち抜き部４ｂは、容器本体２から離れた外側部分で外周部４ａの引き裂きを導く第一打ち抜き線４ｃと、この第一打ち抜き線４ｃに連通した状態で容器本体２の中央部の方向へ延びて蓋３の引き裂きを導く第二打ち抜き線４ｄとで形成している。
そして、この実施形態での第一打ち抜き線４ｃは、図１２に示すように、容器本体２から離れた外側部分で、外側の方向へ延びていると共に、容器本体２側の部分が円弧状に形成されている。また、第二打ち抜き線４ｄは、図１２に示すように、容器本体２の中央部の方向へ延びていると共に、容器本体２から離れた外側部分が円弧状に形成されている。この第一打ち抜き線４ｃと第二打ち抜き線４ｄとは、各円弧状の部分で連通しており、その連通部分で一個の円弧を形成している。
このような構成からなるこの発明の包装用容器１における蓋３の開封は、次に述べるようにして行われる。
先ず、開封用引き裂き部４の打ち抜き部４ｂにおいて、図１３に示すように、第一打ち抜き線４ｃを利用して開封用引き裂き部４の外周部４ａを引き裂くと共に、第一打ち抜き線４ｃおよび第二打ち抜き線４ｄを打ち抜く。
この外周部４ａの引き裂きと、第一打ち抜き線４ｃおよび第二打ち抜き線４ｄの打ち抜きとは、連通部分の円弧を利用することで容易に行える。また、打ち抜き部４ｂは図面に向かって左右に二分割されることになる。
次に、左右に二分割された各開封用引き裂き部４を、図１４に示すように、図面に向かって上下に移動させることにより、第二打ち抜き線４ｄを利用して、蓋３を容器本体２の中央部の方向へ引き裂く。
そして、この蓋３を容器本体２の中央部方向へ引き裂くことにより、蓋３の開封が行われることになる。
この形態の包装用容器１によれば、打ち抜き部４ｂの第一打ち抜き線４ｃおよび第二打ち抜き線４ｄにより、引き裂いての蓋３の開封を容易に行うことができる。
即ち、この形態での第一打ち抜き線４ｃおよび第二打ち抜き線４ｄは、連通した一本線状に形成しているので、第一打ち抜き線４ｃを用いて開封用引き裂き部４の外周部４ａを引き裂いた後、引き続いて、第二打ち抜き線４ｄを用いて蓋３の引き裂きを極めて容易に行える。
従って、開封用引き裂き部４に、開封意志が無い場合の蓋３の引き裂きを阻止する外周部４ａが存在しても、引き裂いての蓋３の開封を容易かつ確実に行うことができる。
【図面の簡単な説明】
【０００９】
【図１】この発明の包装用容器を示す概略斜視図である。
【図２】この発明の包装用容器における開封用引き裂き部を用いての蓋の開封工程を示す図１のＡ−Ａ線概略断面図である。
【図３】この発明の包装用容器における開封用引き裂き部を用いての蓋の開封工程を示す概略斜視図である。
【図４】この発明の包装用容器の別形態を示す概略斜視図である。
【図５】図４のＢ−Ｂ線概略断面図である。
【図６】この発明の包装用容器を示す概略斜視図である。
【図７】この発明の包装用容器における開封用引き裂き部を示す概略図である。
【図８】この発明の包装用容器における開封用引き裂き部を用いての蓋の開封工程を示す図６のＣ−Ｃ線概略断面図である。
【図９】この発明の包装用容器における開封用引き裂き部を用いての蓋の開封工程を示す概略斜視図である。
【図１０】この発明の包装用容器における開封用引き裂き部を用いての蓋の開封工程を示す概略斜視図である。
【図１１】この発明の包装用容器の別形態を示す概略斜視図である。
【図１２】この発明の包装用容器における開封用引き裂き部の別形態を示す概略図である。
【図１３】図１２の開封用引き裂き部を用いての蓋の開封工程を示す概略斜視図である。
【図１４】図１２の開封用引き裂き部を用いての蓋の開封工程を示す概略斜視図である。
【符号の説明】
【００１０】
１    包装用容器
２    容器本体
３    蓋
３ａ  周縁部
４    開封用引き裂き部
４ａ  外周部
４ｂ  打ち抜き部
４ｃ  第一打ち抜き線
４ｄ  第二打ち抜き線
４ｅ  外周端
４ｆ  外周面
【図１】
2005153940.tif 000003
【図２】
2005153940.tif 000004
【図３】
2005153940.tif 000005
【図４】
2005153940.tif 000006
【図５】
2005153940.tif 000007
【図６】
2005153940.tif 000008
【図７】
2005153940.tif 000009
【図８】
2005153940.tif 000010
【図９】
2005153940.tif 000011
【図１０】
2005153940.tif 000012
【図１１】
2005153940.tif 000013
【図１２】
2005153940.tif 000014
【図１３】
2005153940.tif 000015
【図１４】
2005153940.tif 000016